(57)【特許請求の範囲】
【請求項１】
液晶等からなる映像投写機からの投写光線を反射させる反射鏡と、当該投写型表示装置の筐体に固着した同反射鏡と略同一形状の取付板と、同取付板と同反射鏡の間に同反射鏡を保持するとともに同反射鏡と取付板の間隔を変えて同反射鏡の湾曲調整を行う複数の調整棒を備え、同反射面の湾曲調整によりスクリーンに投写する投写映像の歪曲歪みを補正する投写型表示装置において、同調整棒は同反射鏡面上の投射光線の形状に対応する位置に配置することを特徴とした投写型表示装置。
【請求項２】
矩形の投写映像画面となる映像投写機を光軸が矩形の反射鏡の上下辺と略直角方向となる位置に配置し、前記複数の調整棒の配置の外形が略台形となる位置とすることを特徴とした請求項１記載の投写型表示装置。
【請求項３】
前記調整棒は、前記反射鏡の背面に立設した中空部に雌ネジを螺刻した円筒状のボスと、前記取付板に開口した取付孔に貫入して同ボスに螺入するビスから構成することを特徴とした請求項１記載の投写型表示装置。
【請求項４】
前記取付板とボスの間のビスの外周に、同ボスを前記反射鏡方向に付勢する弦巻バネを付設することを特徴とした請求項３記載の投写型表示装置。
【請求項５】
前記取付板に開口する取付孔の近傍に、同取付孔と連結する前記ビスの頭を貫入する貫入孔を設けることを特徴とした請求項３記載の投写型表示装置。
【請求項６】
前記貫入孔に連結する取付孔は、同貫入孔の横方向に延びる長孔とすることを特徴とした請求項５記載の投写型表示装置。
【請求項７】
前記取付板と弦巻バネの間のビスの外周に、外径が前記貫入孔の内径より大きい平座金を付設することを特徴とした請求項５記載の投写型表示装置。
【請求項８】
前記反射鏡の外形は、略同反射鏡面上の投射光線の形状とすることを特徴とした請求項１又は請求項２記載の投写型表示装置。
【発明の詳細な説明】
【０００１】
【発明の属する技術分野】
本発明は、反射鏡面の湾曲調整による投写画面の歪曲歪みの補正が容易にできる投写型表示装置に関する。
【０００２】
【従来の技術】
映像情報を大画面に表示する装置として、液晶等を用いた投写型表示装置が多用されるようになってきた。さらに大画面で高精細な映像表示を行うために、背面式の投写型表示装置を縦横に複数個並べてマルチスクリーンを構成することも多い。この場合、表示装置の奥行きはできるだけ小さい方が好ましい。そのため投写光学系の拡大率を大きくする結果、光学歪みにより表示画面のピンクッションやバレル等の幾何学的な歪曲歪みが生じ易い。大画面の周辺での小さな歪曲歪みは目立たないが、マルチスクリーンでは表示画面内の境界線として目立つようになる。そこで、投写型表示装置の内部に奥行きを小さくする等のために備えた反射鏡の鏡面を湾曲させることにより、この歪曲歪みを補正する技術が知られている。しかし、従来の歪曲歪みの補正のための反射鏡の湾曲調整機構は、同反射鏡の鏡面上の光線の形状とは無関係に配置されていたため、歪曲歪みの正確な補正が困難であるという問題があった。
【０００３】
【発明が解決しようとする課題】
本発明は上記問題点に鑑みなされたもので、投写型表示装置の投写画面の歪曲歪みを容易にかつ正確に補正する手段を提供することを目的とする。
【０００４】
【課題を解決するための手段】
投写光線を反射させる反射鏡と、筐体に固着した同反射鏡と略同一形状の取付板と、同取付板と同反射鏡の間に同反射鏡を保持するとともに同反射鏡と取付板の間隔を変えて同反射鏡の湾曲調整を行う複数の調整棒を備えて同反射面の湾曲調整によりスクリーンに投写する投写映像の歪曲歪みを補正する投写型表示装置において、同調整棒を同反射鏡面上の投射光線の形状に対応する位置に設けることにより、歪曲歪みの正確な補正を容易に行えるようにする。
【０００５】
【発明の実施の形態】
以下、発明の実施の形態について、図を用いて説明する。図２は、背面投写方式の投写型表示装置の１例の斜視図である。投写型表示装置１の内部の底面付近に、ＣＲＴやランプ光源で照明した液晶パネル等からなる映像投写機２を配設する。映像投写機２から投写する投写光線を、投写型表示装置１の奥部に設けた反射鏡３で反射し、前面のスクリーン１ａの背面から投写して映像表示を行う。このような配置では、反射鏡３の鏡面上の投写光線の外形形状３ａは、映像投写機２に近い下辺が短辺となる略台形となる。投写型表示装置１を、必要に応じて縦横に複数個並べてマルチスクリーンを構成する。マルチスクリーンの表示画面内には、スクリーン１ａとその隣のスクリーンとのつなぎ目が位置することとなり、スクリーン１ａの表示画面の幾何学的な歪曲歪みを正確に補正する必要がある。なお、投写型表示装置１の反射鏡３は、筐体の奥部に固着した取付板４に取り付けてある。
【０００６】
図１は、本発明による投写型表示装置の１実施例の反射鏡及び取付板の背面から見た概念図である。反射鏡３は、反射鏡３と略同一形状の取付板４との間隔を変えることができる複数の調整棒５で取り付ける。調整棒５は反射鏡３の反射鏡面上の投射光線の形状に対応して配置する。上記のように、スクリーン１ａへの投写画面が矩形の投写映像画面となる映像投写機２を、光軸が矩形の反射鏡の下辺の略直角方向となる投写型表示装置１の底面に配置するときは、反射鏡３の鏡面上の投射光線の外形形状３ａは、映像投写機２に近い下辺が短辺となる略台形となるので、この外形形状３ａに合わせて、調整棒５を外形が略台形となるように配置する。
【０００７】
図３は、本発明による投写型表示装置の１実施例の反射鏡及び取付板の調整棒付近を一部拡大した（Ａ）背面図、（Ｂ）側面図である。調整棒５は、反射鏡３の背面に立設した中空部に雌ネジを螺刻した円筒状のボス５ａと、取付板４に開口した取付孔４ｂに貫入してボス５ａに螺入するビス５ｂから構成して、取付板４の背面から反射鏡３を取り付けられるようにする。取付板４とボス５ａの間には、ビス５ｂの外周に巻き付けるような形で、ボス５ａを反射鏡３の方向に付勢する弦巻バネ５ｃを付設する。これにより、ビス５ｂを回転させるだけで取付板と反射鏡の間隔が変化し、反射鏡３の湾曲を調整できるようになる。
【０００８】
取付板４に開口する取付孔４ｂの近傍には、取付孔４ｂと連結する、ビス５ｂの頭が貫入できる大きさの貫入孔４ａを開口しておく。反射鏡３を取付板４に取り付けるときは、ビス５ｂをボス５ａに半分螺入しておき、ビス５ｂの頭を取付板の貫入孔４ａを通して貫入するすることにより、容易に反射鏡が取り付けられるようになる。貫入孔４ａに連結する取付孔４ｂは、貫入孔４ａの横方向に延びる長孔とし、ビス５ｂの頭を貫入孔４ａから貫入した後、頭を取付板４の背面に出しながらビス５ｂを長孔の長径方向にずらして固定できるようにする。取付板４と弦巻バネ５ｃの間のビス５ｂの外周には、外形が貫入孔４ａの内径より大きい平座金５ｄを付設する。平座金５ｄにより、ビス５ｂの頭を貫入孔４ａを貫入するとき、弦巻バネ５ｃが取付板４とボス５ａの頭部との間に保持されるようになり、反射鏡３を取付板４に取り付ける作業が容易になる。
【０００９】
図４は、本発明により投写型表示装置の別の実施例の反射鏡及び取付板の背面から見た概念図である。投写型表示装置に設ける反射鏡４３の外形を、略反射鏡４３面上の投射光線の形状とする。例えば反射鏡４３を、上記の投写型表示装置１の奧部の反射鏡３の位置に置くときは、下辺が短辺となる略台形となる投射光線の外形形状３ａに合わせて、反射鏡４３の外形も台形とする。反射鏡は、上記と同様にして投写型表示装置の筐体に固着した取付板４４に調整棒５で取り付けけ、調整棒５で反射鏡４３の湾曲を調整する。反射鏡４３の外形を台形にすることにより、反射鏡が小型軽量になるばかりでなく、反射鏡の下辺の横部分の鏡面の湾曲調整部分が反射鏡の縁に近くなるため、調整が容易となる。
【００１０】
【発明の効果】
投写光線を反射させる反射鏡と、筐体に固着した同反射鏡と略同一形状の取付板と、同取付板と同反射鏡の間に同反射鏡を保持するとともに同反射鏡と取付板の間隔を変えて同反射鏡の湾曲調整を行う複数の調整棒を備えて同反射面の湾曲調整によりスクリーンに投写する投写映像の歪曲歪みを補正する投写型表示装置において、同調整棒を同反射鏡面上の投射光線の形状に対応する位置に設けることにより、歪曲歪みの補正が容易となり、精密な補正ができるようになるため、マルチスクリーンを構成しても、つなぎ目の綺麗な表示が可能となる。
【図面の簡単な説明】
【図１】本発明による投写型表示装置の１実施例の反射鏡及び取付板の背面から見た概念図である。
【図２】背面投写方式の投写型表示装置の１例の斜視図である。
【図３】本発明による投写型表示装置の１実施例の反射鏡及び取付板の調整棒付近を一部拡大した（Ａ）背面図、（Ｂ）側面図である。
【図４】本発明により投写型表示装置の別の実施例の反射鏡及び取付板の背面から見た概念図である。
【符号の説明】
１  投写型表示装置
２  映像投写機
３  反射鏡
４  取付板
４ａ  貫入孔
４ｂ  取付孔
５  調整棒
５ａ  ボス
５ｂ  ビス
５ｃ  弦巻バネ
５ｄ  平座金
４３  反射鏡
４４  取付板
【図１】
0003675127.tif 000002
【図２】
0003675127.tif 000003
【図３】
0003675127.tif 000004
【図４】
0003675127.tif 000005